(57)【要約】      （修正有）【課題】壁面に配置した家具が地震により揺動して前側が上った時に、階段状摺動体がバネの弾力により自動的に移動して家具の前下側の間隙に入りこむようにすることにより、地震の震動による家具の前倒れを防止する。【解決手段】家具の前下縁を固定する接着シート６や圧着ネジ２２等の固定手段を設けた上向きコ状の家具支持部４を前端に有する上下体１の後端部と、両側に摺動ガイド７又は側板８を設け、中央部前側にパネ固定部２３を突設した基板２の後端部とを屈曲、可撓する屈撓構造部２０で連結し、上下体１と基板２の間に配置する階段状摺動体３には、前端に復元部１２を突設し、低階段側を家具支持部側に向けて前記摺動ガイド７及び側板８内に摺動自在に嵌設すると共に、後端側に階段状摺動体３に家具支持部方向への弾力を付与する摺動体用バネ１１を装填し、平常時において、家具等が略水平状態に設置される事を特徴としている。【選択図】  図１
2004181173.tif 000002
【特許請求の範囲】
【請求項１】
前端を家具支持部に形成した上下体の後端部と、基板の後端部とを屈橈造部で連結し、上下体と基板の間に、摺動体用バネにより家具支持部方向に弾力が付与される階段状摺動体を、低階段側を家具支持部側に向けて摺動自在に装設した家具前倒防止装置において、上下体の前端部には、階段状摺動体の先端の復元部が嵌入する切除部を下面の一部に設け、かつ、家具の前下縁を嵌着して固定するため、上面に接着シート、側面に圧着ネジ等の固定手段を設けた上向きコ状の家具支持部を形成し、基板には、両側に摺動ガイドを設け、中央部前側にバネ固定部を設け、基板と上下板の間に介在させる階段状摺動体には、前端に復元部を突設すると共に後端側にバネ嵌設用欠除部を設け、両側縁を前記摺動ガイドに摺動容易に嵌合し、前記バネ嵌設用欠除部に、一端が前記バネ固定部に、他端が階段状摺動体の後壁に配置されて階段状摺動体に家具支持部方向の弾力を付与する摺動体用バネを装填した事を特徴とする家具等の前倒防止装置。
【請求項２】
前端を家具支持部に形成した上下体の後端部と、基板の後端部とを屈橈造部で連結し、上下体と基板の間に、摺動体用バネにより家具支持部方向に弾力が付与される階段状摺動体を、低階段側を家具支持部側に向けて摺動自在に装設した家具前倒防止装置において、上下体の前端部には、階段状摺動体の先端の復元部が嵌入する切除部を下面の一部に設け、かつ、家具の前下縁を嵌着して固定するため、上面に接着シート、側面に圧着ネジ等の固定手段を設けた上向きコ状の家具支持部を形成し、基板には、両側に側板を設け、かつ、階段状摺動体の前端に突設した復元部の通る挿通孔を穿設した上向き前板を設け、基板と上下体の間に介在させる階段状摺動体には前端に復元部を突設すると共に、貫通孔を設けて後端を基板の後部に固定したバネ軸を貫通させ、貫通孔の後端側のバネ軸に、階段状摺動体に家具支持部方向の弾力を付与する摺動体用バネを装填した事を特徴とする家具等の前倒防止装置。
【請求項３】
前端を家具支持部に形成した上下体の後端部と、基板の後端部とを屈橈造部で連結し、上下体と基板の間に、摺動体用バネにより家具支持部方向に弾力が付与される階段状摺動体を、低階段側を家具支持部側に向けて摺動自在に装設した家具前倒防止装置において、上下体の前端部には、家具の前下縁を嵌着し固定するため、上面の接着シート、側面に圧着ネジ等の固定手段を設けた上向きコ状の家具支持部を形成し、基板には側板を設け、基板と上下板の間に介在させる階段状摺動体には、貫通孔を設け、後端を基板の後部に固定したバネ軸を貫通させ、貫通孔の後端側のバネ軸に、階段状摺動体に家具支持部方向の弾力を付与する摺動体用バネを装填した事を特徴とする家具等の前倒防止装置。
【請求項４】
前端を家具支持部に形成した上下体の後端部と、基板の後端部とを屈橈造部で連結し、上下体と基板の間に、摺動体用バネにより家具支持部方向に弾力が付与される階段状摺動体を、低階段側を家具支持部側に向けて摺動自在に装設した家具前倒防止装置において、上下体は先端部には下面側に階段状摺動体の先端の復元部及びバネ軸が嵌入する部分を除いて台部を設け、かつ、家具の前下縁を嵌着し固定するため、上面に接着シート、側面に圧着ネジ等の固定手段を設けた上向きコ状の家具支持部を形成し、基板には側板を設け、かつ、階段状摺動体の前端に突設した復元部の通る挿通孔を穿設した上向き前板を設け、基板と上下体の間に介在させる階段状摺動体には前端に復元部を突設すると共に貫通孔を設け、後端を基板の後端に固定し前端を前記上向き前板に固定したバネ軸を貫通させ、貫通孔の後端側のバネ軸に、階段状摺動体に家具支持部方向の弾力を付与する摺動体用バネを装填した事を特徴とする家具等の前倒防止装置。
【請求項５】
前端を家具支持部に形成した上下体の後端部と、基板の後端部とを屈橈造部で連結し、上下体と基板の間に、摺動体用バネにより家具支持部方向に弾力が付与される階段状摺動体を、低階段側を家具支持部側に向けて摺動自在に装設した家具前倒防止装置において、家具側縁を挟み嵌合する為に２分割された上下体の前端部には、上面に接着シートの貼着等の固定手段が設けられて家具の前下縁を嵌着し固定する上向きコ状の家具支持部を形成し、基板には復元用摺動穴を有する側板を設け、基板と２枚の上下体の間にそれぞれ介在させる階段状摺動体は、上下体に合わせ２分割して底面は連結させると共に、側板の復元摺動穴を貫通させる側部復元部を突設し、かつ、一端が基板の後壁に他端が階段状摺動体に配置され、階段状摺動体に家具支持部方向の弾力を付与する摺動体用バネを装填した事を特徴とする家具等の前倒防止装置。
【発明の詳細な説明】
【０００１】
［発明の属する技術分野］
本発明は、壁面に近接させて配置した家具が地震により揺動した時、震動に応じて前側が上った都度、階段状摺動体がバネの弾力により自動的に家具の前下縁の下に挿入され、以前よりも順次、家具を背後側に傾斜させて固定する事により、地震の震動による家具の前倒れを防止する防災用の家具等の前倒防止装置に関する。
【０００２】
［従来の技術］
従来、地震等の震動による家具類の前倒を防止する手段としては、家具の上面を天井に連結する支持具やＬ形金具を使用して家具を天井又は壁面側に固定する事が行われているが、これらの転倒防止具を使用するには貴重な家具を傷付ける事になるので、家具を傷付けない手段が要求されている。一方、家具を傷付けない手段として、家具類の前側下部に板状又は断面傾斜状の前倒防止具を敷設し、家具を背後の壁側に傾斜させて置く事により、ある震度以下で家具が前倒れする事を防止していた。
【０００３】
又、家具を傷つけない手段としては、本発明者の開発による特願平７−８８５７５号及び特願平８−３１１２５号があり、これらは本発明と同様に、家具の前側下縁又は家具の側壁下縁に装置して、震動により間隙ができた家具の前下縁又は側壁前側の下に、階段状摺動体をバネの弾力で自動的に移動して嵌入させる事により、家具を今までよりも更に大きな角度で壁側に傾斜させ前倒れを防止するものであるが、想定する震度に対応させて家具の前下縁を上げて、平常時から予め家具を背後に傾斜させて置き、又、家具の前下縁は固定されず昇降体（上下体）の先端に単に載置しておく構造であった。
【０００４】
［発明が解決しようとする課題］
家具に加工して装置する家具転倒防止装置は除外し、本発明は、家具を傷付けないで装置し、予め家具を背後側に傾斜させて置く従来の家具前倒防止装置と比較すると、従来装置は、家具の前側下縁の下に敷設して当初から家具を背後側に傾斜させて置き、予測震動の大小に関わらず家具は常に一定の傾斜角度に保たれていた。従って、平常時において、家具類を略水平状態に保持する事ができる構造ではなかった。従来の予め傾斜させる設定傾斜角度は自ら限定があり、大震動を対象として傾斜角度を設定すると、例えば、箪笥の設定傾斜角度を一定にして固定した場合、平常時は傾斜角度が大きいと引出しの引き出しは重く、扉は開け難くなって不便となり、傾斜角度が小さいと前倒れ防止効果は小さくなり、前倒しない程度の小震動でも引出しや扉が飛び出したりするという問題があった。
【０００５】
本発明は家具等を傷付けないで家具の前側下縁の下側に装置し、震動を利用して家具等の傾斜角度を大きくする家具等の前倒防止装置であり、先願である従来の特願平７−８８５７５号及び特願平８−３１１２５号を大幅に改良したものである。即ち、先願の家具前倒防止装置は、本発明と同様に家具の前下縁に敷設するが、昇降体（上下体）の前端の家具前下縁支持部は、単に家具の前下縁を載置して支持するだけであり、昇降体（上下体）が家具の前下縁に固着されていないため、家具と前倒防止装置は離別し、摺動体用バネが作用し震動に応じて階段状摺動体が前進移動しても、昇降体（上下体）及び基板が家具の前下縁から外れているため全く作用しなくなる事が多く、又、上向きバネにより昇降体（上下体）を上げる力が常に作用しているため、外れを増長する結果ともなり、所期の効果を確実に表す事は不可能であった
【０００６】
又、従来の家具前倒防止具は本発明と同様に、家具の前下縁の下側に挟設して使用するが、常時、家具が傾斜した状態に設定するので、日常時に傾斜させて置いてもよい家具等には実用できるが、日常時には略水平状態でなければならない計器類や諸設備、備品等には適応できなかった。更に、ガイドと脱去防止の為の側縁の内側溝の構造等が基本的に成形手段を困難にする事や、階段状摺動体を移動させる摺動体用バネは、ガイドが無いので正確に伸縮しない事が欠点であり、摺動体用バネは階段状摺動体の最後端と基板の後端の間に装填されるため、バネの弾力方向は伸長力に限られて基板の奥行方向寸法を大きくする必要も生じ、小型化、軽量化する支障にもなった。
【０００７】
［課題を解決するための手段］
添付図面について説明する。本発明は、家具前下縁１０を支持する上下体１が家具前下縁１０から外れて脱落しない為に、上下体１の先端を上向きコ状の家具支持部４に形成し、家具前下縁１０を嵌入して固定するため、上面に接着シート６を貼着、又は側面に圧着ネジ２２を装着する等の固定手段を設け、かつ、基板２の前端に復元部１２を突設した場合はその復元部１２が嵌入する切除部５を設ける。この固定手段は、接着シート６や圧着ネジ２２に限定するものではなくその他の手段を採用してもよい。家具前下縁１０を支持する上向きコ状の家具支持部４を前端に設けた上下体１の後端部と、床や畳の上に置く基板２の後端部とを、蝶番状の屈曲又は弾力可橈性ある屈橈構部２０で連結する。この基板２の前端側には中央部前側の上面側にバネ固定部を突設し、又、図８に例示する通り上向き前板１４を設ける事もあり、上向き前板１４を設けた場合は、階段状摺動体３の前側に突設した復元部１２通る挿通孔１５を上向き前板１４に穿設する。又、基板２には、階段状摺動体３の移動及び左右、上下の外れ止めとなる摺動ガイド７や側板８を設ける。
【０００８】
上下体１と基板２の間には、低階段側が摺動体用バネ１１の弾力により家具支持部４に突き当たり当接した状態に階段状摺動体３を配置する。階段状摺動体３とバネ固定部２３又は基板２の後壁との間には摺動体用バネ１１を装填する。バネの伸長力を利用する場合は、図８に例示する通り階段状摺動体３に貫通孔９を穿設してバネ軸１３を貫通させ、貫通孔９の後端側のバネ軸１３に摺動体用バネ１１を装填する。この摺動体用バネ１１により階段状摺動体３は家具支持部４方向に常時、弾力が付与される。このバネ軸１３及び貫通孔９は、階段状摺動体３の外れ止めと摺動体用バネ１１の伸縮ガイドも兼ねる。
【０００９】
又、従来と同様に、予め家具前下縁１０を床面より高くして家具等を当初から背後の壁側に傾斜させて置く事もでき、その場合は、図１０に例示する通り、上下体１の家具支持部４の下面に逆階段状の台部１７を装設する事により、家具前下縁１０を当初から台部１７の厚さを加えた高さに上げておく事が可能となる。更に、家具支持部４の底面の接着シート６の下側に、弾性板を一体に重合して敷設する事や、階段状摺動体３に家具支持部４の下面の台部１７に対応する階段を設けて、階段と家具支持部４との接触面積を増大させる事もできる。
【００１０】
［発明の実施の形態］
図１及び図２、図３に示した１実施例により説明する。前端を家具支持部４に形成した上下体１の後端部と、基板２の後端部とを屈橈構造部２０で連結し、上下体１と基板２の間に、摺動体用バネ１１により家具支持部４方向に弾力が付与される階段状摺動体３を、低階段側を前端に向けて摺動自在に装設する。家具の前側下縁が嵌合されて接着シート６や圧着ネジ２２等の固定手段により固定される上下体１の前端側の家具支持部４は、平常時は図３又は図４に示すように基板２の上に載置して当接させる。従って、図４に示す通り家具前下縁１０の下側は支持部４と基板２の厚さだけの高さであるから、微小角度で家具を背後の壁面側に傾斜させて置く事ができる。震動により家具が揺動し背後側を支点として前側が上がると、家具前下縁１０の上昇と共に固定している家具支持部４も上り、その下部に間隙がてきる。これと同時に、家具支持部４方向に弾力が作用している摺動体用バネ１１の弾力で階段状摺動体３が移動し、前端の復元部１２は上下体１の切除部５を押出され、階段部３は低階段側が家具支持部４と基板２の間隙に挿入される。
【００１１】
従って、階段状摺動体３は、摺動体用バネ１１の弾力により移動し、震動に応じて広がる家具支持部４と基板２との間の間隙に挿入されるので、以前当接していた階段面よりも高階段面が家具支持部４の下側に挿入され、図５に例示する通り家具前下縁１０が上った状態で固定し、壁側への傾斜を大きくする。即ち、前回の震動よりも大きな震動があって、次の階段が挿入できる間隙が生じた時に作用して傾斜角度を増し、家具の傾斜角度を順次大きくして、より大きな震動に対しても前倒れを防止する。この際、上下体１は接着シート６や圧着ネジ２２による固定手段により固定されるので家具支持部４と一体的に上下し、基板２上の摺動ガイド７は階段状摺動体３のガイドと左右外れ止めとを兼ねる。又、図８、図９、図１０に示す摺動体用バネ１１の伸長力を利用する実施例においては、階段状摺動体３の一部に穿設した貫通孔９を貫通するバネ軸１３は、階段状摺動体３の外れ止めと摺動体用バネ１１の伸縮ガイドとなる。
【００１２】
階段状摺動体３が順次、家具支持部４側に移動すると、階段状摺動体３の前端の復元部１２は、図５に示す通り前面に露出する。基板２の前端側に上向き前板１４を設けた場合は、図８及び図１０に例示する通り階段状摺動体３の前側に突設した復元部１２は上向き前板１４に穿設した挿通孔１５を貫通して露出する。従って、震動の終了後、家具の前側を少し上げてこの復元部１２を押し込む事により、階段状摺動体３を平常時の状態に復元する事ができる。又、図１１乃至図１４に例示する通り、側板８に側部復元部１９を突出する実施例においては、後方側に移動した側部復元部１９を引き戻すことにより、平常時の状態に復元する事ができる。
【００１３】
［実施例１］
図１に示す斜視図、図２に示す平面図、図３に示す側面図、図４に示す断面図により一実施例について説明する。階段状摺動体３の先端の復元部１２が嵌入する切除部５を下面の一部に設けると共に、上面に接着シート６の貼着、又は側面に圧着ネジ２２の装着等による固定手段を設け、その両方又は一方により嵌着した家具前下縁１０を固定できる上向きコ状の家具支持部４を前端を形成した上下体１の後端部と、図１及び図２、図６に示す通り、左右両側に溝付きの摺動ガイド７を設け、かつ、中央部にバネ固定部２３を設けた基板２の後端部とを屈橈構造部２０で連結する。図１では構成を明示する為に、上下体１と基板２とを切り離して図示している。屈橈構造とは、蝶番や薄肉状のヒンジ構造による屈曲性、又は容易に橈む弾力性、可橈性を有する構造である。従って、この屈橈構造部２０は樹脂材を用いて上下体１と基板２を構成する場合は、連結部分を薄肉状のヒンジにしても、全体を弾力性、可橈性を有する樹脂又は金属で成る薄板にしてもよく、又、強靭な樹脂シートの貼着により構成してもよい。
【００１４】
上下体１と基板２の間には、図１及び図７に明示する通り、前端の低階段側に復元部１２を突設し、後端側のバネ嵌設用欠除部１６にバネ固定部２３を嵌合し、内部に摺動体用バネ１１を装填する為のバネ嵌設用欠除部１６を設けた階段状摺動体３を配置する。この階段状摺動体３は低階段を家具支持部４に向け、両側の摺動ガイド７をガイドとして前後自在に摺動する事ができる。バネ嵌設用欠除部１６に装填する摺動体用バネ１１は、図２及び図４、図５に示す通り一端が基板２に突設したバネ固定部２３に、他端が階段状摺動体３の後端側に固定される。階段状摺動体３はこの摺動体用バネ１１の縮小力により家具支持部４方向に弾力が付与される。この階段状摺動体３は階段状に構成されるが、段数及び１段の高さは震動の際に家具支持部４の下に生じる間隙の高さに直接関係するので、地震時の家具の揺動を予測して設定する。この際、摺動ガイド７が階段状摺動体３の外れを防止し、摺動体用バネ１１は縮小力を利用するのでガイドを必要としない。この実施例においては、基板２と家具支持部４の底板の厚さ分だけが家具前下縁１０を上げるが、実際には上下板１及び基板２の肉厚は０．５〜１ｍｍ程度とするので、家具は傾斜は微小であり略水平状態に保たれる。
【００１５】
［実施例２］
図８は、階段状摺動体３の前端に復元部１２を突設し、基板２に復元部１２が挿通する挿通孔１５を穿設した上向き前板１４を設けた実施例を示し、家具支持部４の底部には、基板２の先端の復元部１２に相当する部分だけ除いた切除部５を形成し、切除部５を除いた部分の上面に接着シート６を貼着、又は側面に圧着ネジ２２を装着等の固定手段を設けた上下体１の後端部と、前端に復元部１２が通る挿通孔１５を穿設した上向き前板１４を設け、かつ、左右側板８を設けた基板２の後端部とを屈橈構造部２０で連結する。上下体１と基板２の間には、摺動体用バネ１１を装填する為のバネ軸１３を貫通する貫通孔９を設けた階段状摺動体３を摺動自在に配置する。この実施例は、実施例１と同様に家具支持部４の底面が直接、基板２の上面に当接するので、基板２と家具支持部４の底面の厚さ分だけが家具の前下縁を上げる。従って、当初設置する家具の傾斜を小さくし、殆ど傾斜していない状態に設定する事が可能である。又、バネ軸１３は摺動体用バネ１１のガイドとなるだけでなく、側板８と共に階段状摺動体３の摺動ガイド、外れ止めとしても有効である
【００１６】
［実施例３］
図９は、上下体１の家具支持部４に切除部５を無くすると共に、基板２は先端の上向き前板を省略し、復元部１２を広幅に形成した実施例であり、実施例２と同様に、基板２と家具支持部４の底板の厚さ分だけが家具の前下縁を上げる。又、バネ軸１３に装填された摺動体用バネ１１の伸長力により階段状摺動体３を移動させ、バネ軸１３と側板８とが摺動ガイドと外れ止めを構成する。
【００１７】
［実施例４］
図１０に示す実施例は、日常の使用に支障がない程度の傾斜で、ある想定震度までは前倒れしない傾斜になるように構成した実施例であり、家具支持部４の下面側に、バネ軸１３と復元部１の通る部分を除いて、１段又は図示の通り逆階段状の台部１７を装設する。この台部１７は、上下体１と一体成形し形成された空間部には充填物を嵌入して構成してもよい。この実施例においては、階段状摺動体３は図８に示す実施例と同様であるが、バネ軸１３の両端が基板２の上向き前板１４と後壁に固定されるので、摺動体用バネ１１の伸縮、階段状摺動体３の摺動が安定し、階段状摺動体３の外れ防止効果は増大する。
【００１８】
［実施例５］
図１１及び図１２、図１３、図１４に示す実施例は、家具等の側壁の前下縁に配置する前倒防止装置の実施例である。家具の側壁の前下縁の両側面を挟むように嵌入して固定する為に、上向きコ状に形成し上面に接着シート６を貼着した家具支持部４を前端に設けた上下体１は、図１６に示す通り２分割する。階段状摺動体３も上下体１に対応させて図１５に示す通り、家具支持部４に相当する間隔を開けて２個に分割し、底部は連結させ、側部には側部復元部１９を突出させる。２分割された上下体１の後端は、図１３に明示する通りそれぞれ基板２の後壁に固定され、摺動体用バネ１１はそれぞれ階段状摺動体３の低階段側と基板２の後壁の間に装填され、縮小して家具支持部４方向に引く力が階段状摺動体３に作用する。基板２には図１１に示す通り、階段状摺動体３に突設させた側部復元部１９を移動させるための復元用摺動孔１８を有する側板８を設け、上下体１及び階段状摺動体３、摺動体用バネ１１を被覆する。
【００１９】
このように構成されるこの実施例は、震動により家具の側壁前下縁２１が上昇すると、接着固定された家具支持部４と２分割された上下体１の先端が共に上昇し、階段状摺動体３との間に間隙ができる。これと同時に、それぞれ上下体１に低階段側が当接する２分割された階段状摺動体３は、それぞれ装填された摺動体用バネ１１の引く力により上下体１の下側に挿しこまれ、家具の側壁前下縁２１を上昇状態で固定するので、家具は壁側への傾斜角度が以前より大きくなり前倒れを防止する。この実施例も実施例１及び２、３と同様に、基板２と家具支持部４の底板の厚さ分だけが家具の側壁前下縁を上げる。作動後の復元は、家具を少し上げて、側部復元部１９を前方に引けば復元する。この実施例は摺動バネ１１の縮小力を利用するものであるが、階段状摺動体３、上下体１、摺動体用バネ１１の設置方向を変え、摺動体用バネ１１の伸長力を利用して階段状摺動体３を移動させる事により、同様の効果を挙げることも容易である。
【００２０】
上記の実施例においては、家具支持部４に接着シート６や圧着ネジ２２等を設けた、家具前下縁１０の固定手段を図示したが、家具等が金属製の場合には、ネジ、ナットの使用、又は溶接等による固定手段を採用してもよい。
【００２１】
［発明の効果］
本発明は、家具や壁、柱等を傷付けずに、家具の前側下縁に簡単に挿込むだけで装置する事ができる家具等の前倒防止装置であり、平常時には、家具が殆ど傾斜しない状態にして置く。或は必要に応じて想定した震度に対応させた傾斜角度を保持させ、箪笥ならば引出しの出し入れに支障のない状態に傾斜させて置く。その状態において、地震が到来して家具が揺動し前下縁が上がると、家具の前下縁を嵌着し強固に固定している家具支持部も共に上り、低階段側が移動方向に向く階段状摺動体が摺動体用バネの弾力により自動的に移動して、階段の高さよりも大きな間隙が生じた家具支持部の下側、又は上下体の先端の下側に挿入される。従って、震動する以前よりも高階段面が挿入されて、上昇した家具支持部を上ったその状態で支持する。従って、家具類の傾斜角度は自動的に増加する。以後においては、以前よりも大きな震動が到来し家具類の前下側が階段の高さよりも高く上がった都度、階段状摺動体が順次、移動して高階段側が挿入されるので、傾斜角度を順次大きくして家具を背後の壁側に傾け前倒れを防止する事ができる。又、震動の終了後は復元部を移動させるだけの操作で、簡単に平常時の状態に復元する事ができるので、防災上極めて有効である。
【図面の簡単な説明】
【図１】本発明において、摺動体用バネの縮小力を利用した実施例の斜視図であり、両側縁が摺動ガイドに嵌入した階段状摺動体が、家具支持部の下に挿入される前の位置に配置される平常時の状態を示し、構成を明示する為に上下体を切り離した状態である。
【図２】平常時の状態を示す図１の実施例において、上下体を一部切除した状態の一部切開平面図である。
【図３】平常時の状態を示す図２の正面図である。
【図４】平常時の状態を示す図２のＡ−Ａ’部断面図である。
【図５】図４の状態の階段状摺動体が、震動により上昇した家具支持部の下側に挿入された状態を示す縦断面図である。
【図６】図１から図４に示す実施例における上下体及び基板の一部切開平面図である。
【図７】図１から図４に示す実施例における階段状摺動体の平面図である。
【図８】本発明において、階段状摺動体に復元部を突設し、基板に上向き前板を設け、基板の後端に固定されるバネ軸に装填した摺動体用バネの伸長力を利用した実施例であり、構成を明示する為に上下体を切り離した状態である。
【図９】本発明において、基板の後壁に後端を固定されるバネ軸と、基板の側板を摺動ガイドとし、摺動用バネの伸長力を利用した実施例の斜視図であり、構成を明示するために上下体を切り離した状態である。
【図１０】本発明において、家具支持部の下面に台部を設け、平常時には家具前下縁を台部の高さだけ上げた状態に設置する実施例であり、バネ軸の端部を基板の上向き前板と後壁に固定し、装填された摺動用バネの伸長力を利用した場合の斜視図で、構成を明示する為に上下体を切り離した状態である。
【図１１】本発明において、家具の側壁前下縁を挟み嵌入する為に、先端に家具支持部を設けた上下体及び側部に側部復元部が突出する階段状摺動体を２分割し、摺動体用バネを各別に装填した実施例の平面図である。
【図１２】図１１に示す実施例の平面図である。
【図１３】図１２に示す実施例のＢ−Ｂ’部縦断面図である。
【図１４】図１２に示す実施例のＣ−Ｃ’部縦断面図である
【図１５】図１１から図１４に示す実施例の階段状摺動体の斜視図である。
【図１６】図１１から図１４に示す実施例の上下体の斜視図である。
【符号の説明】
１．    上下体
２．    基板
３．    階段状摺動体
４．    家具支持部
５．    切除部
６．    接着シート
７．    摺動ガイド
８．    側板
９．    貫通孔
１０．  家具前下縁
１１．  摺動体用バネ
１２．  復元部
１３．  バネ軸
１４．  上向き前板
１５．  挿通孔
１６．  バネ嵌設用欠除部
１７．  台部
１８．  復元用摺動穴
１９．  側部復元部
２０．  屈橈構造部
２１．  家具の側壁前下縁
２２．  圧着ネジ
２３．  バネ固定部
【図１】
2004181173.tif 000003
【図２】
2004181173.tif 000004
【図３】
2004181173.tif 000005
【図４】
2004181173.tif 000006
【図５】
2004181173.tif 000007
【図６】
2004181173.tif 000008
【図７】
2004181173.tif 000009
【図８】
2004181173.tif 000010
【図９】
2004181173.tif 000011
【図１０】
2004181173.tif 000012
【図１１】
2004181173.tif 000013
【図１２】
2004181173.tif 000014
【図１３】
2004181173.tif 000015
【図１４】
2004181173.tif 000016
【図１５】
2004181173.tif 000017
【図１６】
2004181173.tif 000018